(57)【要約】【課題】釣竿操作における必要時に人差し指が滑り難く、また、必要時に把持手の円周方向への微妙な動きを円滑にする。【解決手段】前後に１対のフード１４Ａ，１４Ｂを設けたリール装着部を有する釣竿であって、前側のフード１４Ａ外側面は後方が高くなっており、該面上に、該面上での後方への指の腹の動きに対して抵抗となる凸条２０、凹条、又は凹凸部を設けており、後側のフード１４Ｂ外側面と、スピニングリールを装着してリール装着部を把持した場合の把持形態による親指の当接領域とは別として、両フード間の把持領域には、掌や指の動きに対して抵抗となる凸条、凹条、及び凹凸部が存在しないよう構成する。【選択図】        図１
2004222625.tif 000002
【特許請求の範囲】
【請求項１】
前後に１対のフードを設けたリール装着部を有する釣竿であって、前側のフード外側面は後方が高くなっており、該面上に、該面上での後方への指の腹の動きに対して抵抗となる凸条、凹条、又は凹凸部を設けており、後側のフード外側面と、スピニングリールを装着してリール装着部を把持した場合の把持形態による親指の当接領域とは別として、両フード間の把持領域には、掌や指の動きに対して抵抗となる凸条、凹条、及び凹凸部が存在しないことを特徴とする釣竿。
【請求項２】
前記凸条、凹条、又は凹凸部は前側のフードと一体に形成されている請求項１記載の釣竿。
【発明の詳細な説明】
【０００１】
【発明の属する技術分野】
本発明は、リール装着部を有する釣竿に関する。特にスピニングリールを使用する場合に効果を奏する。
【０００２】
【従来の技術】
スピニングリールを装着した場合にブレーキレバーを操作し易いように親指の届く範囲に膨出部を設けた例が、本出願人による下記特許文献１に開示されている。リールを装着させるタイプの釣竿の操作においては、リール装着部を把持して操作することが一般的であり、スピニングリールの場合は、通常、中指と薬指との間にリール脚を挟んだ把持形態となる。この場合、親指はリール装着領域の上側に載置し、人差し指は、概ね前側フードの部位に掛かる。他の指は適宜な力で対応部位を把持する。この把持形態が魚の当たりを待つ基本形態である。
【特許文献１】
特開２００１−１７８３２３号公報
【０００３】
【発明が解決しようとする課題】
上記基本の把持形態で釣竿を把持し、魚の当たりを待って合わせを行ったり、魚が掛かった場合に魚とやり取りをする際には、特に、人差し指に力が入る。また、適宜ポイントに仕掛けを投擲する場合等に、釣竿を捻るようにして投擲する事があり、そうした場合は、上記基本形態に対して釣竿の円周方向に対する把持手の位置（角度）を微妙に変える。この場合、リール装着部領域にむやみに引っ掛りとなる部分があれば、微妙な把持変化を行い難くなる。
【０００４】
依って本発明は、釣竿操作における必要時に人差し指が滑り難く、また、必要時に把持手の円周方向への微妙な動きを円滑にすることを目的とする。
【０００５】
【課題を解決するための手段】
上記目的に鑑みて本発明は、前後に１対のフードを設けたリール装着部を有する釣竿であって、前側のフード外側面は後方が高くなっており、該面上に、該面上での後方への指の腹の動きに対して抵抗となる凸条、凹条、又は凹凸部を設けており、後側のフード外側面と、スピニングリールを装着してリール装着部を把持した場合の把持形態による親指の当接領域とは別として、両フード間の把持領域には、掌や指の動きに対して抵抗となる凸条、凹条、及び凹凸部が存在しないことを特徴とする釣竿を提供する。
【０００６】
既述のように、魚の当たりを待って合わせを行ったり、魚が掛かった場合に魚とやり取りをする際には、特に、人差し指に力が入るが、その人差し指に入る力は竿元方向に作用する。この人差し指が当接している前側フードの外側面は、後方が高くなっているため、人差し指が滑り難く、更には、この外側面上に、竿元方向への指の腹の動きに対して抵抗となる凸条、凹条、又は凹凸部を設けているため、更に滑り難くなり、所望の操作が快適に行える。また、（前側フードは当然として）後側のフード外側面と親指の当接領域を除いた他の把持領域には、掌や指の動きに対して抵抗となる凸条、凹条、及び凹凸部が存在しないため、釣竿の円周方向に対する把持手の位置（角度）を微妙に変化させることが円滑に行える。
【０００７】
請求項２では、前記凸条、凹条、又は凹凸部は前側のフードと一体に形成されている請求項１記載の釣竿を提供する。
人差し指等に擦られて凸条等は摩損したり、損傷し易いが、射出成形等によって前側フードと一体に形成されていれば、耐久性が向上する。
【０００８】
【発明の実施の形態】
以下、本発明を添付図面に示す実施形態例に基づき、更に詳細に説明する。
図１は本発明に係る釣竿の要部側面図、図２は図１のリール装着部にスピニングリールを装着して把持した側面図である。また、図３は図１のリール装着部の本体部材の側面図であり、図４はその平面図である。エポキシ樹脂等の合成樹脂をマトリックスとし、炭素繊維等の強化繊維で強化した繊維強化合成樹脂製竿杆１０の所定位置の外側に、図３で示す、例えば合成樹脂製のリール装着部本体部材１２を套嵌させて接着等で固定している。このリール装着部本体部材の前側部には固定フード１４Ａが、射出成形等により一体に形成されている。
【０００９】
また、リール装着部本体部材の後部には所定の雄ネジ部１２Ｎが形成されている。この雄ネジ部にナット部材１６を螺合させ、連結部１５Ｈを介して該ナット部材の直前に係止して設けられた移動フード部材１４Ｂを、ナット部材の回動によって前後方向に移動可能に構成している。該移動フード部材は、リール装着部本体部材に対して回動できず、前後移動のみ可能なように本体部材に係合されている。また、これらのフードによるリールの足の受入面側とは径方向反対側の大部分が段差状の小径部１２Ｄに形成されている。この小径部には、天然や人工のコルク、ＥＶＡ等発泡性樹脂、ゴム、エラストマー等の把持感を向上させる柔軟部材１８が配設されている。
【００１０】
こうして釣竿のリール装着部には、前側に固定フード１４Ａが、後方には移動フード１４Ｂが夫々配設されている。このリール装着部にスピニングリールを装着し、このリール装着部位を把持すると図２に示す如き把持形態となる。即ち、スピニングリールの脚ＳＰを中指と薬指とで挟み、親指をリール装着部領域の上側、即ち、柔軟部材１８に載置し、人差し指の腹側は、概ね前側フード１４Ａの外側面に掛かる。他の指は適宜な力で対応部位を把持する。
【００１１】
この把持状態で魚の当たりを待って合わせを行ったり、魚が掛かった場合、魚とやり取りをする際には、特に人差し指に力が入り、人差し指は竿元方向に滑ろうとする。この場合、前側フードである固定フード１４Ａは、その外側面は後方が高くなった傾斜状である。従って、人差し指の滑りを防止する傾向にあるが、その防止力は弱い。そこで、本願では、この固定フード外側面上に、この例では図４に示す様に、釣竿の長手方向に対して直交する方向に延伸した凸条２０を２本、固定フードと一体に射出成形している。
【００１２】
凸条２０の高さは、０．１〜０．３ｍｍが好ましい。低すぎれば滑り止め効果が発揮できず、高過ぎては指の各種移動の邪魔になる他、指等が痛くなる。なお、この例での各凸条の幅は１．２ｍｍであり、頂部には平面部を有している。従って、指が痛くなり難い。２つの凸条間隙間も１．２ｍｍ程である。また、各凸条の長さは１０ｍｍ程であるが、図４に２点鎖線２０’で示す様に、更に長く形成し、前側フード外側面の幅全体に亘るように形成してもよい。
【００１３】
更には、凸条の数は任意であり、その他の形態として、図５に示す様に、湾曲した凸条２０”でもよい。その湾曲方向は、図５に示す様に後方側に突出する湾曲が好ましいが、逆側に湾曲していてもよい。前者の方が指を受け止めようとする作用が強いからである。その他、凸条ではなく、ランダム又は規則的に配列した複数個の凸部が配設された斑点状凹凸部や、１個の凸部でもよい。前側フード外側面の面に対して窪んだ凹条を設ける場合もあり、また、１個や複数個の凹部を設けてもよい。前側フード１４Ａを含むリール装着部本体部材表面に、外観向上を目的として光沢塗装を施し、結果的に滑り易くなっても、こうした凸条等が設けられているため、滑り止め性が向上する。
【００１４】
既述の如く後側フード１４Ｂは、その外側面上に滑り止め作用をする凹凸部等を設け、図２に示す様に把持している場合の薬指や小指のグリップ性を向上させる場合がある。このように構成しても、リール装着部本体部材に対して回動しないように拘束されているため、リールの足は緩み難い。また、リール装着部の上側領域での親指の当接領域、この例では、柔軟部材１８の一部に、親指のグリップ性を向上させるための凹凸部等を設けることもある。然しながら、両フード間の他の把持領域には、掌や指（特に掌）の動きに対して抵抗となる凸条、凹条、及び凹凸部は設けない。これにより、釣竿の円周方向に対する把持手の角度位置を円滑に微妙に変えることができる。
【００１５】
以上では、前側フードは固定フードであって後側フードが移動フードであるが、これが前後逆であってもよい。更には、前後共に移動フードであってもよい。なお、移動フード部材１４Ｂはステンレス等の金属や合成樹脂等で形成でき、また、ナット部材１６は合成樹脂製が普通であるが、この例ではその外側に柔軟部材を設けている。
また、或る形態例で述べた変形形態は、特に矛盾の無い限り他の形態にも適用できる。
【００１６】
【発明の効果】
以上の説明から明らかなように本発明によれば、釣竿操作における必要時に人差し指が滑り難く、また、必要時に把持手の円周方向への微妙な動きを円滑にすることができる。
【図面の簡単な説明】
【図１】図１は本発明に係る釣竿の要部側面図である。
【図２】図２は図１のリール装着部にスピニングリールを装着して把持した側面図である。
【図３】図３は図１のリール装着部本体部材の側面図である。
【図４】図４は図３の平面図である。
【図５】図５はリール装着部本体部材の他の形態の平面図である。
【符号の説明】
１２                リール装着部本体部材
１４Ａ              前側フード
１４Ｂ              後側フード
１６                ナット部材
２０                凸条
【図１】
2004222625.tif 000003
【図２】
2004222625.tif 000004
【図３】
2004222625.tif 000005
【図４】
2004222625.tif 000006
【図５】
2004222625.tif 000007